(57)【特許請求の範囲】
【請求項１】
電圧印加により透過状態または透過制限状態に切換可能な左右のレンズと、各レンズを支持するフレーム本体と、当該フレーム本体の左右の端部に設けられる左右のつると、左右のつるのうち一方のつるの内部に設けられ、光を発する発光部と、前記一方のつるの左右方向外側の外壁に設けられ、前記発光部の光が通る透光部とを備えたシャッタ眼鏡であって、
前記フレーム本体は、第１フレームと、当該第１フレームに着脱可能な第２フレームとを有し、
前記第１フレームは、各レンズの上縁部の後側に設けられる上側リム部と、各レンズの左右の側縁部および下縁部に沿って設けられ、前記側縁部および前記下縁部を前後方向で挟んで支持する下側リム部と、左側の前記上側リム部および前記下側リム部と右側の前記上側リム部および前記下側リム部とを連結する連結部とを有し、
前記第２フレームは、前記第１フレームの上部に沿って左右方向に延び、各レンズの上縁部を前記左右の上側リム部との間で挟持し、
前記発光部は、前記透光部に対して左右方向に直交する方向にずれた位置に配置されていることを特徴とするシャッタ眼鏡。
【請求項２】
電圧印加により透過状態または透過制限状態に切換可能な左右のレンズと、各レンズを支持するフレーム本体と、当該フレーム本体の左右の端部に設けられる左右のつると、左右のつるのうち一方のつるに設けられ、前記レンズを透過状態または透過制限状態に切換制御する制御部と、左右のレンズと前記制御部とを電気的に繋ぐ制御用導線とを備えたシャッタ眼鏡であって、
前記フレーム本体は、第１フレームと、当該第１フレームに着脱可能な第２フレームとを有し、
前記第１フレームは、各レンズの上縁部の後側に設けられる上側リム部と、各レンズの左右の側縁部および下縁部に沿って設けられ、前記側縁部および前記下縁部を前後方向で挟んで支持する下側リム部と、左側の前記上側リム部および前記下側リム部と右側の前記上側リム部および前記下側リム部とを連結する連結部とを有し、
前記第２フレームは、前記第１フレームの上部に沿って左右方向に延び、各レンズの上縁部を前記左右の上側リム部との間で挟持し、
前記制御用導線は、
前記制御部から前記第１フレームの左右方向中央部まで左右方向に沿って延びて、前記第２フレームと前記第１フレームとの間に配置される第１部位と、
前記第１部位と別部品で構成され、前記第１部位と前記レンズの端子とを電気的に繋ぐ第２部位とを有し、
前記第２部位は、前記第１部位と前記端子との最短距離よりも長く形成され、前記第１部位と前記第１フレームの左右方向中央部で接続され、前記第１部位との接続部分から左右方向外側に向けて延びる部分と、当該部分から左右方向内側に向けて折り畳まれる部分とを含み、折り畳まれた状態で前記第１フレームと前記第２フレームとの間に収容されていることを特徴とするシャッタ眼鏡。
【請求項３】
電圧印加により透過状態または透過制限状態に切換可能な左右のレンズと、各レンズを支持するフレーム本体と、当該フレーム本体の左右の端部に設けられる左右のつると、左右のつるのうち一方のつるに設けられ、前記レンズを透過状態または透過制限状態に切換制御する制御部と、左右のレンズと前記制御部とを電気的に繋ぐ制御用導線とを備えたシャッタ眼鏡であって、
前記フレーム本体は、第１フレームと、当該第１フレームに着脱可能な第２フレームとを有し、
前記第１フレームは、各レンズの上縁部の後側に設けられる上側リム部と、各レンズの左右の側縁部および下縁部に沿って設けられ、前記側縁部および前記下縁部を前後方向で挟んで支持する下側リム部と、左側の前記上側リム部および前記下側リム部と右側の前記上側リム部および前記下側リム部とを連結する連結部とを有し、
前記第２フレームは、前記第１フレームの上部に沿って左右方向に延び、各レンズの上縁部を前記左右の上側リム部との間で挟持し、
前記制御用導線は、
左右方向に沿って延びて、前記第２フレームと前記第１フレームとの間に配置される第１部位と、
前記第１部位と別部品で構成され、前記第１部位と前記レンズの端子とを電気的に繋ぐ第２部位とを有し、
前記第２部位は、前記第１部位と前記端子との最短距離よりも長く形成され、折り畳まれることによって形成される屈曲部を有し、当該屈曲部が左右方向外側を向くように配置されるとともに、折り畳まれた状態で前記第１フレームと前記第２フレームとの間に収容され、
前記第１部位は、前記つるから前記第１フレームの左右方向中央部まで延び、
前記第２部位は、前記第１部位と前記第１フレームの左右方向中央部で接続され、前記第１部位との接続部分から左右方向外側に向けて延びた後、左右方向内側に向けて折り畳まれ、その後下方に延びて前記レンズの端子に接続されていることを特徴とするシャッタ眼鏡。
【請求項４】
前記制御用導線は、１つのレンズに対して２本設けられ、
２本のうち一方の制御用導線の第２部位は、当該一方の制御用導線の第１部位に対して第１位置ではんだ付けされ、他方の制御用導線の第２部位は、当該他方の制御用導線の第１部位に対して前記第１位置から左右方向にずれた第２位置ではんだ付けされていることを特徴とする請求項２または請求項３に記載のシャッタ眼鏡。
【請求項５】
前記フレーム本体の左右の端部には、前記第１フレームと前記第２フレームとを締結するネジが設けられ、
前記ネジが、前記つるで隠されていることを特徴とする請求項１から請求項４のいずれか１項に記載のシャッタ眼鏡
【請求項６】
前記上側リム部は、前記レンズの上縁部の後側に配置される本体部と、当該本体部から前方に突出して前記レンズの上側に配置され、当該レンズの上方への移動を規制する規制部とを有することを特徴とする請求項１から請求項５のいずれか１項に記載のシャッタ眼鏡。
【発明の詳細な説明】
【技術分野】
【０００１】
本発明は、シャッタ眼鏡に関する。
【背景技術】
【０００２】
一般に、多くのスポーツにおいては、動く対象物を見て機敏に反応する能力が必要とされ、運動選手のこの能力を発達させるためのトレーニング手法が種々研究されている。例えば、従来から、暗室でストロボ光を明滅させ、移動する対象物を間歇的に照らして、この対象物に対し反応するトレーニング方法が知られている。この方法によれば、運動選手は移動する対象物が本来の速度よりも遅く見え、その結果一層敏速な反射運動で反応するよう要求される。
【０００３】
このようなトレーニング手法は、トレーニングをするための広い暗室が必要であり、場所が制限されるという問題があった。
そのため、これまで例えば特許文献１に開示されたように、眼鏡型のフレームに液晶レンズを設け、このレンズを透明状態と不透明状態との間を所定周波数で切り替えることで、前記した暗室におけるトレーニングと同様の状態を作り出すシャッタ眼鏡（動的視力訓練装置）が知られている。
【０００４】
具体的に、特許文献１の技術では、左右のレンズを、眼鏡型の前側フレームおよび後側フレームで挟むことで、レンズをフレームに取り付けている。詳しくは、前側フレームおよび後側フレームの一方にレンズを載せた後、他方を一方に組み付けている。
【先行技術文献】
【特許文献】
【０００５】
【特許文献１】特開２０１０−２１１１７７号公報
【発明の概要】
【発明が解決しようとする課題】
【０００６】
しかしながら、従来技術では、前側フレームおよび後側フレームの一方にレンズを載せた際、一方のフレームにレンズが仮組みされないので、レンズの位置が定まりにくく、組付作業が煩雑になるといった問題があった。
【０００７】
そこで、本発明は、透過状態と透過制限状態とを切替可能なレンズのフレームへの組付作業を容易に行うことができるシャッタ眼鏡を提供することを目的とする。
【課題を解決するための手段】
【０００８】
前記課題を解決するため、本発明に係るシャッタ眼鏡は、電圧印加により透過状態または透過制限状態に切換可能な左右のレンズと、各レンズを支持するフレーム本体と、当該フレーム本体の左右の端部に設けられる左右のつるとを備える。
前記フレーム本体は、第１フレームと、当該第１フレームに着脱可能な第２フレームとを有する。
前記第１フレームは、各レンズの上縁部の後側に設けられる上側リム部と、各レンズの左右の側縁部および下縁部に沿って設けられ、前記側縁部および前記下縁部を前後方向で挟んで支持する下側リム部と、左側の前記上側リム部および前記下側リム部と右側の前記上側リム部および前記下側リム部とを連結する連結部とを有する。
前記第２フレームは、前記第１フレームの上部に沿って左右方向に延び、各レンズの上縁部を前記左右の上側リム部との間で挟持する。
【０００９】
この構造によれば、レンズの組付作業時において、レンズを第１フレームの下側リム部で前後に挟んで保持することができるので、レンズを第１フレームに仮組みすることができ、その後の第２フレームの組付作業を容易に行うことができる。
【００１０】
また、前記した構成において、前記下側リム部には、前記レンズの左右の側縁部および下縁部が嵌め込まれる溝が形成されていてもよい。
【００１１】
これによれば、溝でレンズの左右の側縁部および下縁部が保持されるので、例えばシャッタ眼鏡をかけながら運動を行う際にシャッタ眼鏡に大きな外力が加わった場合であっても、フレーム本体からレンズが外れるのを抑えることができる。
【００１２】
また、前記した構成において、前記上側リム部は、前記レンズの上縁部の後側に配置される本体部と、当該本体部から前方に突出して前記レンズの上側に配置され、当該レンズの上方への移動を規制する規制部とを有していてもよい。
【００１３】
これによれば、規制部でレンズの上方への移動が規制されるので、例えばシャッタ眼鏡をかけながら運動を行う際にシャッタ眼鏡に大きな外力が加わった場合であっても、レンズが上方に移動してフレーム本体から外れるのを抑えることができる。また、第２フレームを第１フレームへ組み付ける前に、規制部によってレンズの上下方向の位置が定まる。
【００１４】
また、前記した構成において、左右のつるのうち一方のつるに設けられ、前記レンズを透過状態または透過制限状態に切換制御する制御部と、左右のレンズと前記制御部とを電気的に繋ぐ制御用導線とを備え、前記制御用導線は、左右方向に沿って延びて、前記第２フレームと前記第１フレームとの間に配置される第１部位と、前記第１部位と前記レンズの端子とを電気的に繋ぐ第２部位とを有し、前記第２部位は、前記第１部位と前記端子との最短距離よりも長く形成され、折り畳まれた状態で前記第１フレームと前記第２フレームとの間に収容されていてもよい。
【００１５】
これによれば、制御用導線の第２部位が、第１部位とレンズの端子との最短距離よりも長く形成されて折り畳まれているので、例えばシャッタ眼鏡に外力が加わってレンズがフレーム本体に対して動いた場合であっても、折り畳まれた状態の第２部位の変位によって、制御用導線に張力が加わるのを抑えることができる。
【００１６】
また、前記した構成において、前記第２部位は、前記第１部位にはんだ付けされていてもよい。
【００１７】
これによれば、レンズが故障した場合には、はんだを溶かして第２部位を第１部位から切り離すことができるので、レンズの交換を容易に行うことができる。
【００１８】
また、前記した構成において、前記フレーム本体の左右の端部には、前記第１フレームと前記第２フレームとを締結するネジが設けられ、前記ネジが、前記つるで隠されていてもよい。
【００１９】
これによれば、ネジがつるで隠されているので、シャッタ眼鏡の外観を損ねることなく、第１フレームと第２フレームを良好に固定することができる。
【００２０】
また、前記した構成において、左右のつるのうち一方のつるの内部に設けられ、光を発する発光部と、前記一方のつるの左右方向外側の外壁に設けられ、前記発光部の光が通る透光部とをさらに備え、前記発光部は、前記透光部に対して左右方向に直交する方向にずれた位置に配置されていてもよい。
【００２１】
これによれば、発光部の光が透光部を通って左右方向に直交する方向へ進むので、シャッタ眼鏡のつるを左右方向外側から見た際に発光部の光を見えにくくすることができる。
【発明の効果】
【００２２】
本発明によれば、透過状態と透過制限状態とを切替可能なレンズのフレームへの組付作業を容易に行うことができる。
【図面の簡単な説明】
【００２３】
【図１】液晶シャッタ眼鏡を前方から見た外観斜視図である。
【図２】液晶シャッタ眼鏡を分解して示す分解斜視図である。
【図３】第１フレームと第２フレームを拡大して示す拡大斜視図である。
【図４】図２のＸ−Ｘ断面図である。
【図５】第１フレームと第２フレームを締結するネジ周りの構造を示す断面図である。
【図６】レンズと制御用配線との関係を示す図である。
【図７】つるに設けたＬＥＤ等の配置を示す側面図（ａ）と断面図（ｂ）である。
【発明を実施するための形態】
【００２４】
以下、図面を参照しながら、本発明の一実施形態について説明する。
図１に示すように、一実施形態に係るシャッタ眼鏡の一例としての液晶シャッタ眼鏡１は、頭部に装着するためのフレームＦと、左右のレンズ５０（５０Ｒ，５０Ｌ）と、制御装置３０とを備えて構成されている。なお、以下の説明において、前後、左右、上下は、液晶シャッタ眼鏡１を装着する人の前後、左右、上下に従うものとする。
【００２５】
レンズ５０は、非通電時において光の透過率が高い透過状態となり、通電時に光の透過率が低い透過制限状態となるＴＮ型の液晶パネルを含んで構成されている。なお、透過状態と透過制限状態における可視光の透過率は、使用目的、使用場所などに応じて適宜設定することができる。レンズ５０の左右方向内側の上部には、後述する制御用導線ＣＡ２が接続される端子５０Ａ（図５参照）が設けられている。
【００２６】
制御装置３０は、レンズ５０の液晶パネルを透過状態または透過制限状態に切換制御する装置であり、バッテリ３２Ａと、このバッテリ３２Ａとメインスイッチ３５Ａを介して接続された、制御部の一例としての制御基板３１Ａにより構成されている。バッテリ３２Ａは、後述する右側のつる２０Ｒ内に配置され、制御基板３１Ａは、後述する左側のつる２０Ｌに配置されている。
【００２７】
バッテリ３２Ａと制御基板３１Ａは、バッテリ用導線ＣＡ１によって電気的に接続され、制御基板３１Ａと各レンズ５０は、制御用導線ＣＡ２によって電気的に接続されている。バッテリ用導線ＣＡ１および制御用導線ＣＡ２は、後述する第１フレーム１１と第２フレーム１２とで形成される空間内に配置されている。なお、図１においては、制御用導線ＣＡ２を簡略的に図示している。制御用導線ＣＡ２の構成については、後で詳述する。
【００２８】
フレームＦは、各レンズ５０を保持する樹脂製のフレーム本体１０と、フレーム本体１０の左右の端部に設けられる樹脂製の左右のつる２０（２０Ｌ，２０Ｒ）とを備えて構成されている。図２に示すように、フレーム本体１０は、第１フレーム１１と、当該第１フレーム１１に着脱可能な第２フレーム１２とを有する。
【００２９】
第１フレーム１１は、各レンズ５０の上縁部５１の後側に設けられる２つの上側リム部１１Ａと、各レンズ５０の左右の側縁部５２，５３および下縁部５４に沿って設けられ、側縁部５２，５３および下縁部５４を前後方向で挟んで支持する２つの下側リム部１１Ｂと、左側の上側リム部１１Ａおよび下側リム部１１Ｂと右側の上側リム部１１Ａおよび下側リム部１１Ｂとを連結する連結部１１Ｃとを一体に有している。
【００３０】
図３に示すように、上側リム部１１Ａは、左右方向に沿って延びてレンズ５０の上縁部５１の後側に配置される本体部Ａ１と、本体部Ａ１から前方に突出する規制部の一例としてのリブＡ２とを一体に有している。リブＡ２は、左右方向に長尺となるリブであり、レンズ５０の上側に隣接して配置されることでレンズ５０の上方への移動を規制している。
【００３１】
リブＡ２は、本体部Ａ１の上端および下端から離れた位置に配置されている。これにより、レンズ５０の上部の後面が、本体部Ａ１のうちリブＡ２よりも下の部位で後ろから支持されている。
【００３２】
リブＡ２は、レンズ５０の上縁部５１（図２参照）に沿って延び、レンズ５０の上縁部５１のうち左右方向内側の端部付近から左右方向中央部付近までの範囲に形成されている。つまり、リブＡ２は、レンズ５０の上縁部５１の一部に対応して設けられている。これにより、第１フレーム１１に取り付けられた状態のレンズ５０の上縁部５１の他部が上方に露出するので、上方に露出したレンズ５０の上縁部５１の他部にユーザの指を引っ掛けてレンズ５０を取り外すことが可能となっている。
【００３３】
図４に示すように、下側リム部１１Ｂは、レンズ５０の面に沿った方向においてレンズ５０の左右の側縁部５２，５３および下縁部５４に対向する外周壁部Ｂ１と、外周壁部Ｂ１の前端から内側（レンズ５０の中心側）に向けて突出する前壁部Ｂ２と、外周壁部Ｂ１の後端から内側に向けて突出する後壁部Ｂ３とを一体に有している。各壁部Ｂ１〜Ｂ３は、レンズ５０の左右の側縁部５２，５３および下縁部５４に沿って延びている。
【００３４】
以上のように構成される下側リム部１１Ｂには、レンズ５０の左右の側縁部５２，５３および下縁部５４が嵌め込まれる溝Ｂ４が形成されている。詳しくは、溝Ｂ４は、各壁部Ｂ１〜Ｂ３の各内面によって形成されている。
【００３５】
図３に戻り、後壁部Ｂ３の左右方向外側の端部は、中間部Ｂ５を介して上側リム部１１Ａの本体部Ａ１に一体に形成されている。中間部Ｂ５は、後壁部Ｂ３よりも左右方向に幅広に形成されており、その前面には、当該前面から突出する突出部Ｂ５１が形成されている。突出部Ｂ５１には、略前後方向に貫通する貫通孔Ｂ５２が形成されている。
【００３６】
連結部１１Ｃは、上側リム部１１Ａの本体部Ａ１と下側リム部１１Ｂの後壁部Ｂ３とを一体に繋ぐ第１連結部Ｃ１と、左右の下側リム部１１Ｂの各外周壁部Ｂ１同士を一体に繋ぐ第２連結部Ｃ２と、左右の下側リム部１１Ｂの前壁部Ｂ２同士を一体に繋ぐ第３連結部Ｃ３とを有している。
【００３７】
第２フレーム１２は、各レンズ５０の上縁部５１を左右の上側リム部１１Ａとの間で挟持するフレームであり、第１フレーム１１の上部（詳しくは左右の上側リム部１１Ａと第１連結部Ｃ１の上部）に沿って左右方向に延びている。第２フレーム１２は、図４に示すように、後方に向けて開口する断面視Ｕ形状に形成されている。これにより、第２フレーム１２と第１フレーム１１との間には、前述したバッテリ用導線ＣＡ１および制御用導線ＣＡ２を収容するための空間が形成されている。
【００３８】
図３に戻り、第２フレーム１２の左右の両端部には、第１フレーム１１を第２フレーム１２に取り付けるための取付部１２Ａが設けられている。具体的には、図５に示すように、取付部１２Ａは、第１フレーム１１と第２フレーム１２とを締結するためのネジＳが螺合される取付穴１２Ｂを有している。そして、第２フレーム１２と第１フレーム１１を組み合わせたときに、第２フレーム１２の取付穴１２Ｂと第１フレーム１１の貫通孔Ｂ５２が合致するようになっている。なお、第１フレーム１１と第２フレーム１２は、その両端部が前述したネジで締結される他、その中央部も図示せぬネジで締結されている。
【００３９】
また、断面視Ｕ形状の第２フレーム１２は、第１フレーム１１の突出部Ｂ５１よりも後方に突出している。これにより、貫通孔Ｂ５２の上側、左右方向外側および下側が、断面視Ｕ形状の第２フレーム１２で覆われて、外から見えなくなっている。
【００４０】
そして、第２フレーム１２の両端部の内側には、つる２０の基端部２１が収容されている。詳しくは、つる３０の基端部２１は、第２フレーム１２の両端部の上下壁に回動可能に連結されており、貫通孔Ｂ５２に対向するように、貫通孔Ｂ５２に近接して配置されている。これにより、第１フレーム１１と第２フレーム１２を締結したネジＳが、つる２０で隠されて（覆われて）、外から見えなくなっている。
【００４１】
なお、基端部２１と第２フレーム１２との連結は、基端部２１に形成された孔に図示せぬネジを通すことによって行われている。詳しくは、図示せぬネジを、第２フレーム１２の下壁に形成された孔Ｈと基端部２１に形成された孔とに通した後、上壁に下から捩じ込むことで、基端部２１と第２フレーム１２との連結が行われ、第２フレーム１２に対してつる２０が回動可能となっている。そして、上壁に下から捩じ込んだネジは、第２フレーム１２の上面から突出しないようになっており、これにより、第２フレーム１２の上面に孔が形成されず、第２フレーム１２内の空間に上から雨水などが入り込まないようになっている。なお、基端部２１に形成された孔に、金属製の円筒を設けることで、金属製のネジと樹脂製の基端部２１をの摩耗を抑えるようにしてもよい。
【００４２】
また、貫通孔Ｂ５２は、ネジＳの軸部に対応した小径孔部と、ネジＳの頭に対応した大径孔部とを有している。これにより、ネジＳの頭の第１フレーム１１（突出部Ｂ５１）からの突出量が小さくなるので、つる２０の基端部２１を第１フレーム１１に近接させることができ、ネジＳを左右方向内側からも見えにくくすることが可能となっている。また、突出部Ｂ５１の後面は、貫通孔Ｂ５２から左右方向内側および後方に向けて傾斜している。これにより、ネジＳが左右方向内側からより見えにくくなっている。
【００４３】
図６に示すように、制御用導線ＣＡ２は、１つのレンズ５０に対して２本設けられ、主に、左右方向に沿って延びて、第２フレーム１２と第１フレーム１１との間に配置される第１部位ＣＡ２１と、第１部位ＣＡ２１とレンズ５０の端子５０Ａとを電気的に繋ぐ第２部位ＣＡ２２とを有している。第２部位ＣＡ２２は、第１部位ＣＡ２１と端子５０Ａとの最短距離よりも長く形成され、折り畳まれた状態で第１フレーム１１と第２フレーム１２との間に収容されている。詳しくは、第２部位ＣＡ２２は、屈曲部ＢＤが左右方向外側を向くように、各フレーム１１，１２内に配置されている。第２部位ＣＡ２２は、第１部位ＣＡ２１にはんだ付けされている。
【００４４】
図７に示すように、左側のつる２０Ｌには、光を発する発光部の一例としてのＬＥＤ２２と、ＬＥＤ２２からの光を外部に導く導光部材２３とが設けられている。ＬＥＤ２２は、つる２０Ｌ内に収容され、導光部材２３は、つる２０Ｌの左右方向外側の外壁２４に形成された開口部２４Ａに嵌め込まれて固定されている。そして、ＬＥＤ２２は、開口部２４Ａに対して前側にずれた位置に配置されている。ここで、開口部２４Ａと導光部材２３の開口部２４Ａ内に配置された部分が、透光部の一例である。
【００４５】
次に、レンズ５０の交換作業について説明する。
まず、第２フレーム１２の両端部と左右の各つる２０を連結する図示せぬネジを取り外す。その後、図５に示すように、第１フレーム１１の突出部Ｂ５１からつる２０を取り外す。これにより、つる２０で隠されたネジＳが外部からアクセスできる状態となる。
【００４６】
続いて、ネジＳを各フレーム１１，１２から取り外すとともに、各フレーム１１，１２の左右中央にある図示せぬネジも取り外す。その後、図２および図３に示すように、第１フレーム１１から第２フレーム１２を取り外すと、各フレーム１１，１２によるレンズ５０の上縁部５１の保持が解除され、レンズ５０の上縁部５１が外部に露出する。
【００４７】
続いて、レンズ５０の上縁部５１に指を引っ掛けて、上縁部５１を第１フレーム１１から浮かしつつ、上方に引き抜くことで、レンズ５０に大きな負荷をかけることなく、レンズ５０を取り外すことができる。
【００４８】
その後、故障したレンズ５０に対応した第２部位ＣＡ２２と第１部位ＣＡ２１との接続部分であるはんだを治具で溶かして、レンズ５０を第２部位ＣＡ２２ごと第１部位ＣＡ２１から取り外す。続いて、新たなレンズ５０を第２部位ＣＡ２２を介して第１部位ＣＡ２２にはんだ付けにて接合する。
【００４９】
その後、新たなレンズ５０の左右の側縁部５２，５３および下縁部５４を、第１フレーム１１の下側リム部１１Ｂの溝Ｂ４内に差し込んだ後、上縁部５１を上側リム部１１ＡのリブＡ２の下に配置する。これにより、レンズ５０が、上下左右に位置決めされた状態で、第１フレーム１１に仮組みされる。
【００５０】
その後、第１フレーム１１に対して第２フレーム１２を組み付け、各フレーム１１，１２の左右両端および中央をネジＳや図示せぬネジで固定する。続いて、第２フレーム１２の両端部に左右のつる２０を図示せぬネジで取り付けることで、交換作業が完了する。
【００５１】
以上によれば、本実施形態において以下のような効果を得ることができる。
【００５２】
レンズ５０の組付作業時において、レンズ５０を第１フレーム１１の下側リム部１１Ｂで前後に挟んで保持することができるので、レンズ５０を第１フレーム１１に仮組みすることができ、その後の第２フレーム１２の組付作業を容易に行うことができる。
【００５３】
レンズ５０の交換作業時において、第１フレーム１１から第２フレーム１２を取り外すことで、レンズ５０の上縁部５１の保持が解除されるので、レンズ５０に大きな負荷をかけることなくレンズ５０の取り外しや装着を行うことができる。
【００５４】
溝Ｂ４によってレンズ５０の左右の側縁部５２，５３および下縁部５４が保持されるので、例えば液晶シャッタ眼鏡１をかけながら運動を行う際に液晶シャッタ眼鏡１に大きな外力が加わった場合であっても、フレーム本体１０からレンズ５０が外れるのを抑えることができる。
【００５５】
上側リム部１１Ａに形成したリブＡ２によってレンズ５０の上方への移動を規制するので、例えば液晶シャッタ眼鏡１をかけながら運動を行う際に液晶シャッタ眼鏡１に大きな外力が加わった場合であっても、レンズ５０が上方に移動してフレーム本体１０から外れるのを抑えることができる。
【００５６】
制御用導線ＣＡ２の第２部位ＣＡ２２が、第１部位ＣＡ２１とレンズ５０の端子５０Ａとの最短距離よりも長く形成されて折り畳まれているので、例えば液晶シャッタ眼鏡１に外力が加わってレンズ５０がフレーム本体１０に対して動いた場合であっても、折り畳まれた状態の第２部位ＣＡ２２の変位によって、制御用導線ＣＡ２に張力が加わるのを抑えることができる。
【００５７】
第２部位ＣＡ２２が第１部位ＣＡ２１にはんだ付けされることで、レンズ５０が故障した場合には、はんだを溶かして第２部位ＣＡ２２を第１部位ＣＡ２１から切り離すことができるので、レンズ５０の交換を容易に行うことができる。
【００５８】
第１フレーム１１と第２フレーム１２とを連結するネジＳがつる２０で隠されているので、液晶シャッタ眼鏡１の外観を損ねることなく、第１フレーム１１と第２フレーム１２を良好に固定することができる。
【００５９】
ＬＥＤ２２が開口部２４Ａに対して前側にずれた位置に配置されることで、ＬＥＤ２２の光が開口部２４Ａに取り付けられた導光部材２３を通って後方へ進むので、液晶シャッタ眼鏡１のつる２０を左右方向外側から見た際にＬＥＤ２２の光を見えにくくすることができる。つまり、液晶シャッタ眼鏡１を装着するユーザは、装着前に液晶シャッタ眼鏡１の作動状態を示す光を開口部２４Ａの後ろから確認できるが、ユーザが液晶シャッタ眼鏡１を装着した後は、他人からは光が見えにくくなっている。
【００６０】
なお、本発明は前記実施形態に限定されることなく、以下に例示するように様々な形態で利用できる。
【００６１】
前記実施形態では、発光部としてＬＥＤ２２を例示したが、本発明はこれに限定されず、その他の発光体であってもよい。また、発光部の位置は、前記実施形態の位置に限定されず、開口部に対して左右方向に直交する方向にずれた位置であればよい。
【００６２】
前記実施形態では、電圧印加により透過状態または透過制限状態に切換可能なレンズとして液晶パネルを含んで構成されるレンズ５０を例示したが、本発明はこれに限定されず、例えばエレクトロクロミックを有するレンズなどであってもよい。
【００６３】
前記実施形態では、規制部として左右方向に長いリブＡ２を例示したが、本発明はこれに限定されず、規制部は、例えば円柱状の突起であってもよいし、レンズの上縁部を支持する本体部の面から一段高くなった段差部であってもよい。
【００６４】
前記実施形態では、透光部の一例として導光部材２３の一部と開口部２４Ａを例示したが、本発明はこれに限定されず、透光部は、光を通す部位であればどのように構成されてもよく、例えば開口部のみで構成されてもよいし、色付きの樹脂の一部を透明にすることで構成してもよい。
【００６５】
前記実施形態では、下側リム部１１Ｂに形成した溝Ｂ４でレンズ５０を前後方向に挟んで保持したが、本発明はこれに限定されず、例えば複数の鉤状の爪でレンズ５０を前後方向に挟んで保持してもよい。
【符号の説明】
【００６６】
１      液晶シャッタ眼鏡
１０    フレーム本体
１１    第１フレーム
１１Ａ  上側リム部
１１Ｂ  下側リム部
１１Ｃ  連結部
１２    第２フレーム
５０    レンズ
５１    上縁部
５２，５３  側縁部
５４    下縁部
【要約】
【課題】透過状態と透過制限状態とを切替可能なレンズのフレームへの組付作業を容易に行うことを目的とする。
【解決手段】シャッタ眼鏡（液晶シャッタ眼鏡１）は、透過状態または透過制限状態に切換可能な左右のレンズ５０と、各レンズ５０を支持するフレーム本体１０を備える。フレーム本体１０は、第１フレーム１１と、第１フレーム１１に着脱可能な第２フレーム１２を有する。第１フレーム１１は、各レンズ５０の上縁部５１の後側に設けられる上側リム部１１Ａと、各レンズ５０の左右の側縁部５２，５３および下縁部５４に沿って設けられ、各縁部５２〜５４を前後方向で挟んで支持する下側リム部１１Ｂを有する。第２フレーム１２は、第１フレーム１１の上部に沿って左右方向に延び、各レンズ５０の上縁部５１を左右の上側リム部１１Ａとの間で挟持する。
【選択図】図２【図１】
0005969098.tif 000002
【図２】
0005969098.tif 000003
【図３】
0005969098.tif 000004
【図４】
0005969098.tif 000005
【図５】
0005969098.tif 000006
【図６】
0005969098.tif 000007
【図７】
0005969098.tif 000008